(57)【特許請求の範囲】
【請求項１】
カムピンが備えられた第１コネクタハウジングと、
この第１コネクタハウジングに嵌合可能であるとともに、この嵌合方向に沿う方向に端子金具を挿抜可能で、かつこの端子金具に一次係止可能なランスを備えるキャビティが設けられた第２コネクタハウジングと、
前記カムピンと係合するカム溝が形成されるとともに前記両コネクタハウジンの嵌合方向に対し交差方向をなして前記第２コネクタハウジングにスライド可能に組み付けられるスライダとを備え、
前記スライダを組み付けることにより、前記カムピンと前記カム溝との係合によるカム作用によって前記両コネクタハウジングが嵌合されるようになっているコネクタにおいて、
前記スライダには、前記第２コネクタハウジングに対する組み付けに伴い、前記キャビティに挿入された前記端子金具に二次係止することでこの端子金具の抜け止めを図るリテーナ部が設けられていることを特徴とするコネクタ。
【請求項２】
前記第２コネクタハウジングには、前記スライダを挿入可能なスライダ収容部が前記キャビティに対して交差方向をなして設けられており、
前記スライダ収容部と前記各キャビティとの間には、これらを相互に連通させる連通部が前記スライダの挿入方向に沿って形成され、
前記リテーナ部は、前記スライダが前記スライダ収容部に挿入されるのに伴って前記連通部に沿って通過し、前記スライダの挿入完了時には前記各キャビティにおける前記端子金具の挿抜経路上に位置して前記端子金具に二次係止するようになっていることを特徴とする請求項１に記載のコネクタ。
【請求項３】
前記リテーナ部における前記スライダの挿入方向前部には、前記スライダの挿入に伴って、半挿入状態の前記端子金具に当接して前記スライダのスライド動作を規制する半挿入検知面が設けられていることを特徴とする請求項２に記載のコネクタ。
【請求項４】
前記キャビティは前記スライダの挿入方向に沿って複数が並列されて形成されており、
前記リテーナ部は並列する前記キャビティに架け渡されるように前記スライダの挿入方向に沿って連続する長い形態をなして形成されていることを特徴とする請求項３に記載のコネクタ。
【請求項５】
前記スライダは、前記スライダ収容部に収容される板状の本体部を有する一方、前記キャビティは、この本体部の板厚方向に関する上下に分かれて配置されており、
前記スライダは、この上下に分けられた前記キャビティの間に配され、かつ前記本体部の上下面に前記リテーナ部が配されていることを特徴とする請求項１〜請求項４のいずれかに記載のコネクタ。
【発明の詳細な説明】
【技術分野】
【０００１】
本発明は、コネクタに関する。
【背景技術】
【０００２】
従来、コネクタの一例として、特許文献１に記載のものが知られている。このコネクタは、雌側のコネクタハウジングと、雄側のコネクタハウジングと、両コネクタハウシングの嵌合・離脱操作用のスライダとを備え、スライダは両コネクタハウジングの嵌合方向に対し交差方向に挿抜されるようになっている。そして、雌側のコネクタハウジングのハウジング本体部には、雌端子金具が挿入されて収容される複数のキャビティが形成されており、ハウジング本体部の外周には、キャビティ内に挿入された雌端子金具を抜け止め保持するリテーナが装着されている。
【特許文献１】特開２００５−１８３２９７公報
【発明の開示】
【発明が解決しようとする課題】
【０００３】
しかしながら、上記のような構造では、雌端子金具の抜け止めを図るために、スライダとは別にリテーナを備える必要があり、部品点数が多くなってしまうという問題がある。
本発明は上記のような事情に基づいて完成されたものであって、部品点数の増加を回避しつつ端子金具の抜け止めを図ることができるコネクタを提供することを目的とする。
【課題を解決するための手段】
【０００４】
上記の目的を達成するための手段として、請求項１の発明は、カムピンが備えられた第１コネクタハウジングと、この第１コネクタハウジングに嵌合可能であるとともに、この嵌合方向に沿う方向に端子金具を挿抜可能で、かつこの端子金具に一次係止可能なランスを備えるキャビティが設けられた第２コネクタハウジングと、前記カムピンと係合するカム溝が形成されるとともに前記両コネクタハウジンの嵌合方向に対し交差方向をなして前記第２コネクタハウジングにスライド可能に組み付けられるスライダとを備え、前記スライダを組み付けることにより、前記カムピンと前記カム溝との係合によるカム作用によって前記両コネクタハウジングが嵌合されるようになっているコネクタにおいて、前記スライダには、前記第２コネクタハウジングに対する組み付けに伴い、前記キャビティに挿入された前記端子金具に二次係止することでこの端子金具の抜け止めを図るリテーナ部が設けられているところに特徴を有する。
【０００５】
請求項２の発明は、請求項１に記載のものにおいて、前記第２コネクタハウジングには、前記スライダを挿入可能なスライダ収容部が前記キャビティに対して交差方向をなして設けられており、前記スライダ収容部と前記各キャビティとの間には、これらを相互に連通させる連通部が前記スライダの挿入方向に沿って形成され、前記リテーナ部は、前記スライダが前記スライダ収容部に挿入されるのに伴って前記連通部に沿って通過し、前記スライダの挿入完了時には前記各キャビティにおける前記端子金具の挿抜経路上に位置して前記端子金具に二次係止するようになっているところに特徴を有する。
【０００６】
請求項３の発明は、請求項２に記載のものにおいて、前記リテーナ部における前記スライダの挿入方向前部には、前記スライダの挿入に伴って、半挿入状態の前記端子金具に当接して前記スライダのスライド動作を規制する半挿入検知面が設けられているところに特徴を有する。
【０００７】
請求項４の発明は、請求項３に記載のものにおいて、前記キャビティは前記スライダの挿入方向に沿って複数が並列されて形成されており、前記リテーナ部は並列する前記キャビティに架け渡されるように前記スライダの挿入方向に沿って連続する長い形態をなして形成されているところに特徴を有する。
【０００８】
請求項５の発明は、請求項１〜請求項４のいずれかに記載のものにおいて、前記スライダは、前記スライダ収容部に収容される板状の本体部を有する一方、前記キャビティは、この本体部の板厚方向に関する上下に分かれて配置されており、前記スライダは、この上下に分けられた前記キャビティの間に配され、かつ前記本体部の上下面に前記リテーナ部が配されているところに特徴を有する。
【発明の効果】
【０００９】
＜請求項１および請求項２の発明＞
請求項１および請求項２の発明によれば、両コネクタハウジングを嵌合させるための手段であるスライダが、端子金具に二次係止してこの端子金具の抜け止めを図る機能を兼ね備えているから、スライダとは別にリテーナ等の抜け止め部材を設けなくて済み、もって部品点数の増加を回避しつつ端子金具の抜け止めを図ることができる。
【００１０】
＜請求項３の発明＞
請求項３の発明によれば、端子金具が半挿入状態にあるときに誤ってスライダを挿入すると、半挿入状態の端子金具に半挿入検知面が当接してそれ以上のスライダの挿入が規制され、端子金具が半挿入状態であることを知ることができる。
【００１１】
＜請求項４の発明＞
請求項４の発明によれば、リテーナ部は複数のキャビティに架け渡されるように連続する形態に形成されているから、各キャビティ毎に断続的に設ける場合に比べて、強度の向上を図れる。
【００１２】
＜請求項５の発明＞
請求項５の発明によれば、一枚の本体部の上下面に配されたリテーナ部が、上下のキャビティに収容された端子金具に二次係止するから、本体部を上下のキャビティで共用することができる。
【発明を実施するための最良の形態】
【００１３】
以下、本発明の実施形態を図１〜図１４によって説明する。
本実施形態のコネクタは、図１に示すように、雌側のコネクタハウジング（本発明における第２コネクタハウジングに該当し、以下、雌ハウジング１０という）と、雄側のコネクタハウジング（本発明における第１コネクタハウジングに該当し、以下、雄ハウジング５０という）と、両ハウジング１０，５０の嵌合・離脱操作用のスライダ３０とを備えている。スライダ３０は、雌ハウジング１０に対し、両ハウジング１０，５０の嵌合・離脱方向と略直角方向に挿抜されるようになっている。
【００１４】
以下、各構成部材において、両ハウジング１０，５０における嵌合面側を前方とし、また、図１の上側を右方、下側を左方、図２の上側を上方、下側を下方として説明する。
【００１５】
雌ハウジング１０は、図２〜図４に示すように、全体として若干横長のブロック状をなしている。雌ハウジング１０の内部には、図２に示すように、複数のキャビティ１１が上下２段に分かれて形成されており、上段に左右２室、下段に左右３室が形成されている。各キャビティ１１は、図５に示すように、前後方向に長い形態をなし、後方から雌端子金具１２が挿入されるようになっている。上段および下段のキャビティ１１には、それぞれ上面壁および下面壁に沿って前方へ片持ち状に延出するとともに上下方向へ弾性撓み可能なランス１３が形成されている。また、下段のキャビティ１１の間には、それぞれ前後方向に延びる縦溝１４が形成されている（図２および図６参照）。各縦溝１４は、雌ハウジング１０の正面及び下面に開放された形態をなしている。
【００１６】
そして、雌ハウジング１０には、スライダ３０が収容されるスライダ収容部１５が設けられている。スライダ収容部１５は、図５に示すように、上段下段のキャビティ１１を仕切る中空状の隔壁１６内部に形成され、キャビティ１１に対して交差方向をなす略扁平な形状に形成されている。また、この隔壁１６には、スライダ収容部１５と上段のキャビティ１１および下段のキャビティ１１とを相互に連通させる上段連通部１５Ａおよび下段連通部１５Ｂがスライダ３０の挿入方向に沿って形成されている。この上段連通部１５Ａと下段連通部１５Ｂとは、その前縁（雌ハウジング１０の嵌合方向における前縁）位置が上下方向にほぼ揃う位置に配されている。そして、上段連通部１５Ａおよび下段連通部１５Ｂには、後述するスライダ３０の上段用リテーナ部３６Ａおよび下段用リテーナ部３６Ｂが嵌入されるようになっている。
【００１７】
このスライダ収容部１５、上段連通部１５Ａおよび下段連通部１５Ｂは、図７に示すように、雌ハウジング１０を左右方向（キャビティ１１に対して交差方向）に貫通して左右両側面に開口しており、スライダ３０は、スライダ収容部１５を左右方向にスライド可能となっている。左右両側面の開口のうち左側の開口がスライダ出入り口１７とされ、スライダ３０は、スライダ出入り口１７を介してスライダ収容部１５に差し入れられ、またスライダ収容部１５から引き出されるようになっている。
【００１８】
スライダ収容部１５におけるスライダ出入り口１７側の端部には、それぞれ雌ハウジング１０の前面および後面に開口する形態の前ロック部１８Ａおよび後ロック部１８Ｂが設けられている。前ロック部１８Ａには後述するスライダ３０の仮係止用突部３９が係止され、後ロック部１８Ｂにはスライダ３０のロックアーム３３に設けられたロック突起４２が係止されるようになっている。
【００１９】
また、雌ハウジング１０には、図２および図３に示すように、上段の左右両キャビティ１１の間を仕切っている部分を上方から切り欠いた形態のカムピン導入路１９が設けられている。カムピン導入路１９は、雌ハウジング１０の正面及び上面に開放されるとともにスライダ収容部１５に連通されている（図６参照）。カムピン導入路１９は、雌ハウジング１０の前縁から後方へ向かう前後に長い形状をなし、その前後方向に対して交差方向をなす断面の形状は、上下方向に若干長い略長方形をなしている。そして、カムピン導入路１９における互いに向き合う側面には、前後方向にわたって一対の張出し部２０が設けられている。
【００２０】
左右一対の張出し部２０のうち右側の張出し部２０の下方には、図２および図６に示すように、その突出端位置がカムピン導入路１９の右側面位置とほぼ同じ位置に至る山状に形成された山部２１が突設されている。山部２１は、両持ち状に形成されて左右方向に弾性撓み可能とされた撓み可能部２２に設けられており、山部２１が左方へ押されると、撓み可能部２２が左方へ弾性的に撓むようになっている。そして、後述する雄ハウジング５０のカムピン５６を雌ハウジング１０のカムピン導入路１９に嵌めて両ハウジング１０，５０を接近させると、雄ハウジング５０の湾曲突出部５７がこの山部２１に差し掛かり、さらに接近させると山部２１が湾曲突出部５７に押されて左方に撓むとともに湾曲突出部５７が山部２１を乗り越えるようになっている。湾曲突出部５７が山部２１を乗越えたところで、カムピン５６がスライダ３０に設けられたカム溝の入口３１Ａに達するようになっており、作業者はカムピン５６がカム溝の入口３１Ａに導入された節度感を得られるようになっている。
【００２１】
雌ハウジング１０の左側面、言い換えるとスライダ出入り口１７が形成されている側の面には、スライダ３０がカムピン５６との係合に備えて待機する仮係止位置にあるときの押し込み規制を行う仮当接部２３が左方に突出して設けられている。仮当接部２３は、図４に示すように、スライダ出入り口１７の上縁に沿って前後方向に長い直方体状をなしている。
なお、雌ハウジング１０の左側面における後端部には、上下一対の保護部２４が突出形成されている。
【００２２】
各キャビティ１１に挿入される雌端子金具１２は、図５に示すように、全体として前後方向に細長く、略前半部分が端子接続部２５、略後半部分が電線接続部２６となっており、電線接続部２６には電線の端部が圧着により導通可能に固着されている。端子接続部２５は角筒状をなし、その側壁にはランス孔（図示せず）が形成され、また、端子接続部２５の後端縁部は被係止部２５Ａとなっている。雌端子金具１２は、それぞれランス孔がキャビティ１１のランス１３に対応する向きにして挿入され、雌端子金具１２が正規位置（キャビティ１１の前面壁によって前止まりされる位置）まで挿入された状態では、ランス１３がランス孔に一次係止することにより雌端子金具１２が雌ハウジング１０に対して抜止め状態に保持されるとともに、端子接続部２５の被係止部２５Ａがそれぞれスライダ収容部１５の上段連通部１５Ａおよび下段連通部１５Ｂの前縁と前方に対応する位置に配されるようになっている。そして、この上段連通部１５Ａおよび下段連通部１５Ｂに嵌入された上段用リテーナ部３６Ａおよび下段用リテーナ部３６Ｂが、被係止部２５Ａに二次係止することにより、雌端子金具１２の抜け止めが図られるようになっている。なお、雌端子金具１２が、正規位置よりも若干後方位置、つまり半挿入位置にある状態では、ランス孔がランス１３に係止せず、端子接続部２５の後部はそれぞれ上段連通部１５Ａおよび下段連通部１５Ｂに臨むこととなる。
【００２３】
スライダ３０は合成樹脂製であって、カム溝３１が形成された本体部３２と、本体部３２から延出するロックアーム３３とを備えている。このスライダ３０は、図８〜図１０に示すように、ロックアーム３３を含めた形状が、全体として左右方向（スライダ３０挿入方向）に長い略方形の一枚板状をなし、雌ハウジング１０のスライダ収容部１５に挿抜されるようになっている。
【００２４】
本体部３２のほぼ中央部分には撓み片３４が設けられている。撓み片３４は、左右両端部が支持された両持ちの梁状に形成され、左右両端の連結部分を撓み支点として上下方向に弾性撓み可能とされている。この撓み片３４の上面には、上方に突出する突起部３５が形成されている。
【００２５】
本体部３２の上面および下面における撓み片３４の側方（雌ハウジング１０に収容された状態における前方）には、前述した雌端子金具１２に二次係止する上段用リテーナ部３６Ａおよび下段用リテーナ部３６Ｂが設けられている。上段用リテーナ部３６Ａおよび下段用リテーナ部３６Ｂは、雌ハウジング１０に形成された上段連通部１５Ａおよび下段連通部１５Ｂに嵌合可能な形状をなすとともに、図１０に示すように、それぞれ左右方向（スライダ３０の挿入方向）に細長いリブ状をなして突設されている。上段用リテーナ部３６Ａおよび下段用リテーナ部３６Ｂは、それぞれ左右一対ずつ設けられ、突起部３５よりも左方に配されている下段用リテーナ部３６Ｂは、同じく突起部３５よりも左方に配されている上段用リテーナ部３６Ａよりも左右方向の長さが若干短くされている。また、突起部３５よりも右方に配されている下段用リテーナ部３６Ｂは、並列する２つのキャビティ１１に架け渡される長さとされている。そして、上段用リテーナ部３６Ａおよび下段用リテーナ部３６Ｂは、スライダ３０の挿入完了時には、キャビティ１１における雌端子金具１２の挿抜経路上に位置するようになっている。下段用リテーナ部３６Ｂは、図１１に示すように、断面が上段用リテーナ部３６Ａの断面よりも一回り大きくされているとともに、その前縁位置が上段用リテーナ部３６Ａの前縁位置と上下方向にほぼ揃う位置に配されている。そして、上段用リテーナ部３６Ａおよび下段用リテーナ部３６Ｂにおける前側面は、キャビティ１１に挿入された雌端子金具１２の被係止部２５Ａに係止する係止面６０となっている。さらに、突起部３５よりも右側に配されている上段用リテーナ部３０Ａおよび下段用リテーナ部３６Ｂにおける右端面（スライダ３０の挿入方向における前端面）は、雌端子金具１２が半挿入状態にあるときに上段連通部１５Ａもしくは下段連通部１５Ｂに臨む端子接続部２５に当接するようになっており、つまりこの右端面は、雌端子金具１２が半挿入状態にあるときのスライダ３０のスライド動作を規制する半挿入検知面６１となっている。なお、半挿入検知面６１は、本体部３２の前端縁に位置しており、上段用リテーナ部３６Ａから下段用リテーナ部３６Ｂにかけて、本体部３２の板面方向に対し略直交方向をなす面一状に形成されている。
【００２６】
図８に示すように、上段用リテーナ部３６Ａおよび下段用リテーナ部３６Ｂを挟んで撓み片３４とは反対側には、左右方向に細長い開口部３７が設けられている。この開口部３７は、スライダ３０挿入方向における前寄り位置に配され、本体部３２を板厚方向（上下方向）に貫通して形成されている。そして、開口部３７の周縁部における上段用リテーナ部３６Ａおよび下段用リテーナ部３６Ｂとは反対側の縁部、即ちスライダ３０の外周縁部にあたる縁部は、開口部３７側へ弾性撓み可能な撓み縁部３８となっている。撓み縁部３８における左右方向ほぼ中央位置には、開口部３７とは反対側に向かって突出する仮係止用突部３９が設けられている。仮係止用突部３９における右側の面は、右方に向かって下り勾配とされた誘導斜面３９Ａとなっており、左側の面は、スライダ３０の挿入方向に対して略直角をなす仮係止面３９Ｂとされている。
【００２７】
そして、スライダ３０の本体部３２にはカム溝３１が形成されている。カム溝３１は、撓み片３４を挟んで上段用リテーナ部３６Ａおよび下段用リテーナ部３６Ｂが配されている側とは反対側に配されている。カム溝３１は、本体部３２の上面を切り欠くことにより凹み形成されている。このカム溝３１は、スライダ３０が右方に移動するにつれて両ハウジング１０，５０の嵌合が深まるよう、左方（スライダ３０の挿入方向後方）に向かって雌ハウジング１０の嵌合方向における後方に斜めに傾いた形態をなしている。そして、カム溝の入口３１Ａは本体部３２の右端縁における前後方向ほぼ中央部に開口しており、一方カム溝の入口３１Ａとは反対側の端部は、スライダ収容部１５の後側端に対応する側の端部における左右方向ほぼ中央付近に位置している。
【００２８】
カム溝３１の左側（スライダ３０挿入方向後側）には、ロックアーム３３が設けられている。ロックアーム３３は本体部３２における左右方向ほぼ中心付近から、スライダ３０挿入方向後方に向かって片持ち状に延出した形態をなし、本体部３２の板面方向に沿って弾性的に撓み可能となっている。このロックアーム３３の延出端部は本体部３２の左端縁付近に至っている。
【００２９】
ロックアーム３３と本体部３２の側縁との間には、ほぼ一定の間隔が空けられている。このロックアーム３３と本体部３２との間に空けられた空間が撓み空間４１となっており、ロックアーム３３は撓み空間４１側に弾性撓み可能となっている。撓み空間４１は左方に開放されているとともに、その左端部はヒンジ収容部４１Ａとされている。
【００３０】
ロックアーム３３における撓み空間４１とは反対側の側面には、ロック突起４２が設けられている。ロック突起４２は、ロックアーム３３の側面における下寄り位置に配されている（図１１参照）。このロック突起４２は、右方（スライダ３０挿入方向における前方）へ向かって突出高さが低くなる形状とされ、ロック突起４２の左面（スライダ３０挿入方向における後側の面）は、ロックアーム３３の延出方向（スライダ３０の挿入方向）に対して略直角をなすロック面４２Ａとなっている。そして、スライダ３０が本係止位置に達して挿入が完了すると、ロック突起４２がスライダ収容部１５の後ロック部１８Ｂに嵌まってロック面４２Ａが後ロック部１８Ｂの左側面と対向し、これによりスライダ３０の抜け止めがなされ、もってスライダ３０と雌ハウジング１０とが正規の嵌合状態にロックされるようになっている。また、ロックアーム３３を撓み空間４１側へ押圧操作すると、ロック突起４２が後ロック部１８Ｂから外れてロック解除されるようになっている。
【００３１】
ロックアーム３３の延出端部は本体部３２とは反対側へ折れ曲がった形態をなしており、その折れ曲がった部分がロックアーム３３を押圧操作するための手押し部４３とされている。手押し部４３の先端部は、図１０および図１１に示すように、上下方向に張出した形態とされ、その先端面が、手押し部４３を押す際に指を当てる指当て面４４となっている。指当て面４４は、図８に示すように、全体として右方（スライダ３０挿入方向における前方）へ向かって下る勾配となる（本体部３２側へ傾く）傾斜をなすとともに、階段状をなす滑り止め面となっている。
【００３２】
また、手押し部４３は、その先端縁部が後述する覆い部４６よりもロックアーム３３の撓み方向に関して反対側へ突出する高さ寸法とされている。そして、手押し部４３の先端縁部における左側の面（スライダ３０挿入方向後側の面）は、先端縁に向かってスライダ３０挿入方向前方に傾く緩い傾斜をなす逃がし面４５とされている。そして、この逃がし面４５に、左方（スライダ３０挿入方向後方）から外力が作用すると、ロックアーム３３を撓み空間４１側へ変位させる向きの分力を生じるようになっている。
【００３３】
本体部３２の左端部（スライダ３０の挿入方向における後部）には、本体部３２の板面に沿う方向に対して略直行方向をなす板状の覆い部４６が設けられている。覆い部４６は、図１１に示すように、本体部３２から上下方向および左右方向に張出した前後方向に長い長方形状をなしている。この覆い部４６は、ロックアーム３３の左端位置よりも若干の隙間を空けて左方に配されており、手押し部４３の先端縁部、言い換えると逃がし面４５に対応する部分を除くロックアーム３３全体および本体部３２を左方（スライダ３０の挿入方向における後方）から覆う形態とされている。この覆い部４６は、スライダ３０をスライダ収容部１５に差し込む際に、指で押圧する押圧操作壁を兼ねている。そして、覆い部４６の周面における手押し部４３に対応する側の面は、ロック解除する際に手押し部４３を押した指が置かれる指支持面４７となっている。この指支持面４７は、手押し部４３の指当て面４４と同じく、右方（スライダ３０の挿入方向前方）に向かって下り勾配となる（本体部３２側へ傾く）傾斜をなしており、手押し部４３がロック解除状態となるまで押し込まれた状態では、指当て面４４および指支持面４７の双方がスライダ３０の挿入方向前方へ向かって連続する下り勾配となるようになっている。こうして、手押し部４３の指当て面４４から覆い部４６の指支持面４７にわたって斜めに架け渡される指に対し、指当て面４４および指支持面４７双方が沿うような形態となっている。
【００３４】
ロックアーム３３と本体部３２とは、ヒンジ４８を介して連結されている。ヒンジ４８は、一端がロックアーム３３の延出端部に、他端が本体部３２の周面におけるヒンジ収容部４１Ａに対応する部分にそれぞれ連結されており、その折れ曲がりの節がヒンジ収容部４１Ａに入り込んだ略Ｖ字状をなしている。ヒンジ４８の長さは、ロックアーム３３が本体部３２とは反対側へ変位した場合、ロックアーム３３が塑性変形に至るほど過度に変位しないうちに伸びきるような長さとされている。
【００３５】
雄ハウジング５０は、自動車の機器（図示せず）に固定して設けられたものであって、図１２〜図１４に示すように、機器の壁面から前方へ突出する角筒状のフード部５１を備えている。この雄ハウジング５０には、先端がタブ状をなす雄端子金具５２が装着されている。雄端子金具５２はフード部５１に包囲された空間において前方へ突出しており、雌端子金具１２と対応するように上下２段に分かれて配されている。
【００３６】
そして、フード部５１内の下側壁には、前後方向に延びるリブ５３が設けられている。リブ５３は下段に配された３本の雄端子金具５２の間に配されており、両ハウジング１０，５０の嵌合時に雌ハウジング１０の縦溝１４に嵌まってこじりが防止されるようになっている。
【００３７】
また、フード部５１内の上側壁には、下方（フード部５１の内部）へ突出する支持突部５４が形成されている。支持突部５４は、上段に配された２本の雄端子金具５２の間に配され、フード部５１の前端縁から後端縁にわたって設けられるとともに、正面から見た断面は上下方向に若干長い長方形状をなしている。支持突部５４の左右両側面における上寄り位置には、前後方向に細長い溝部５５が一対形成されている。この溝部５５には、カムピン導入路１９に設けられた一対の張出し部２０が嵌まるようになっている。
【００３８】
支持突部５４における前端部には、カムピン５６が設けられている。カムピン５６は、支持突部５４から下方へ向けて突出して形成され、軸線を上下方向（両ハウジング１０，５０の嵌合方向と直角な方向）に向けた円柱形をなしている。
【００３９】
支持突部５４の前端寄り位置には、緩やかな山状をなす湾曲突出部５７が突設されている。湾曲突出部５７は、左右一対の溝部５５のうち右側の溝部５５の下方に設けられている。
【００４０】
そして、フード部５１の左側壁には、フード部５１の前端縁から後方へ向かって、ほぼスライダ３０の本体部３２の短手方向幅分だけ切り欠かれた形態の切欠溝５９が設けられており、両ハウジング１０，５０の嵌合時に、スライダ３０との干渉が避けられるようになっている。
【００４１】
次に、上記のように構成された本実施形態の作用および効果について図１５〜図１９によって説明する。
まず、各キャビティ１１に対し後方から雌端子金具１２を挿入する。正規位置まで挿入された雌端子金具１２は、ランス１３によって一次係止される。全ての雌端子金具１２を挿入した後、スライダ３０を、上段用リテーナ部３６Ａと下段用リテーナ部３６Ｂとがそれぞれスライダ収容部１５の上段連通部１５Ａおよび下段連通部１５Ｂに嵌まる向きにしてスライダ出入り口１７に差し入れる。そして、覆い部４６に指を当てて徐々に押し込むことにより、スライダ３０をスライダ出入り口１７から右方に向かって差し込んでいく。
【００４２】
こうしてスライダ３０を差し込んでいくと、上段連通部１５Ａおよび下段連通部１５Ｂに差し込まれた上段用リテーナ部３６Ａおよび下段用リテーナ部３６Ｂが、徐々にこの上下段連通部１５Ａ，１５Ｂを通過していく。そして、スライダ３０に設けられた仮係止用突部３９がスライダ出入り口１７の周縁部を乗り越え前ロック部１８Ａに嵌まると、図１５および図１６に示すように、仮係止用突部３９の仮係止面３９Ｂが前ロック部１８Ａの左側面に対向した状態となり、同時に、スライダ３０上面に設けられた突起部３５がスライダ出入り口１７の上縁に沿って設けられた仮当接部２３に当接した状態となる。このとき、カム溝の入口３１Ａはカムピン導入路１９内に位置し、雄ハウジング５０のカムピン５６が係合可能な状態となっている。また、上段連通部１５Ａおよび下段連通部１５Ｂに収容された突起部３５より右側の上段用リテーナ部３６Ａおよび下段用リテーナ部３６Ｂの係止面６０は、カムピン導入路１９よりも左側のキャビティ１１に挿入された雌端子金具１２の被係止部２５Ａに二次係止した状態となっている。一方カムピン導入路１９よりも右側のキャビティ１１に挿入された雌端子金具１２は、二次係止されていない状態となっており、すなわちスライダ３０は、カムピン導入路１９よりも右側のキャビティ１１への雌端子金具１２の挿抜を許容する位置に退避した状態となっている。こうして、スライダ３０は、カムピン５６との係合に備えて待機する仮係止位置において、スライダ収容部１５に対し左右方向の移動を規制された状態で保持される。なお、スライダ３０の挿入方向における前側に配されているキャビティ１１への雌端子金具１２の挿入作業は、必ずしもスライダ３０の挿入作業を行う前に終えておく必要はなく、先にスライダ３０を挿入して仮係止位置に保持した後に、雌端子金具１２の挿入作業を行うこともできる。
【００４３】
この後、雌ハウジング１０は、雄ハウジング５０との組付け現場へ搬送され、雄ハウジング５０と嵌合される。このとき、スライダ３０は、スライダ３０挿入方向略後半部分（ロックアーム３３が設けられている部分）が雌ハウジング１０から露出した状態となっている。ここで、ロックアーム３３は、その大部分を覆い部４６によって後方から覆われているため、後方から異物が接近した場合にはその異物は覆い部４６に接触し、ロックアーム３３に直に干渉することが防がれる。また、撓み空間４１とは反対側から異物が接近した場合には、その異物はロックアーム３３に干渉するより先に覆い部４６の周縁部に接触する可能性が高く、ロックアームが剥き出しにされている場合に比べて、ロックアーム３３に直に異物が接触する可能性が低められる。したがって、ロックアームが剥き出しにされている場合に比べて、覆い部４６に覆われたロックアーム３３は異物の干渉等から保護された状態となっている。
【００４４】
また、後方から接近した異物が、覆い部４６に覆われていない手押し部４３の先端縁部に接触した場合には、この異物は先端縁部に形成された逃がし面４５に接触することになる。すると、この逃がし面４５には、後方から前方へ向かって作用する外力によって、撓み空間４１側へ向かう分力が生じる。そして、この分力により、ロックアーム３３は撓み空間４１側、つまり本来の撓み方向へ変位するため、反転方向への変位を回避することができる。
【００４５】
そして、万が一、ロックアーム３３が反転方向に変位させられてしまった場合においても、ヒンジ４８が設けられているからロックアーム３３が塑性変形に至ることを回避できる。
【００４６】
そして、現場に搬送された雌ハウジング１０と雄ハウジング５０とを嵌合する際には、まず、雌ハウジング１０をフード部５１内に浅く嵌合してカムピン５６をカムピン導入路１９に嵌め、カムピン５６がカム溝の入口３１Ａに達するまで両ハウジング１０，５０を近づける。このときには、湾曲突出部５７が山部２１を乗越えて、作業者がその手ごたえを感じ、カムピン５６がカム溝の入口３１Ａに導入されたという節度感を得られる。そして、カムピン５６とカム溝３１とが係合したら、スライダ３０の覆い部４６を左方から手で押す。すると、スライダ３０の撓み片３４が下方へ撓むとともに突起部３５が仮当接部２３を乗り越え、スライダ３０は、仮係止状態が解かれて右方へ押し込まれていく。このスライダ３０の移動に伴って、雌ハウジング１０と雄ハウジング５０とは、図１７に示すように、カム溝３１とカムピン５６との係合によるカム作用によって互いに引き寄せられていく。
【００４７】
ここで、いずれかのキャビティ１１における雌端子金具１２が半挿入状態にあるときには、その端子接続部２５が上段連通部１５Ａもしくは下段連通部１５Ｂに臨んだ状態となっており、上段連通部１５Ａもしくは下段連通部１５Ｂを通過する上段用リテーナ部３６Ａもしくは下段用リテーナ部３６Ａの半挿入検知面６１が、この端子接続部２５に当接する（図５参照）。これにより、上段用リテーナ部３６Ａもしくは下段用リテーナ部３６Ａはそれ以上前方に進めなくなり、もってスライダ３０の挿入が規制され、雌端子金具１２が半挿入状態であることを知ることができる。
【００４８】
そして、スライダ３０の大部分がスライダ収容部１５に挿入されると、ロックアーム３３のロック突起４２がスライダ出入り口１７の周縁部に当接し、さらにスライダ３０を押し込むと、ロックアーム３３が弾性的に撓み空間４１側に撓んでロック突起４２が周縁部を乗り越えていく。そして、ロック突起４２が周縁部を乗り越えるとロックアーム３３が復元変形し、図１８に示すように、ロック突起４２が後ロック部１８Ｂに嵌まる。すると、ロック突起４２のロック面４２Ａが後ロック部１８Ｂの左側面に対向した状態となり、スライダ３０と雌ハウジング１０とが嵌合状態にロックされる。このとき、スライダ３０は、その右端縁がスライダ収容部１５の右端の開口に被さった雄ハウジング５０のフード部５１に突き当たる本係止位置に達した状態となっており、両ハウジング１０，５０は、雌端子金具１２と雄端子金具５２とが導通可能に接続された正規嵌合状態となっている。また、全ての雌端子金具１２の被係止部２５Ａに上段用リテーナ部３６Ａおよび下段用リテーナ部３６Ｂの係止面６０が二次係止した状態となっている。このとき、右側に配されている下段用リテーナ部３６Ｂの係止面６０には、下段に配されているキャビティ１１のうち右側の２つのキャビティ１１に挿入された２本の雌端子金具１２が同時に係止された状態となっている。こうして、スライダ３０が本係止位置に達するとともに、両ハウジング１０，５０が正規嵌合状態に至ったところで両ハウジング１０，５０は離脱規制されてロックされる。
【００４９】
なお、両ハウジング１０，５０が正規嵌合された状態では、図１に示すように、ロックアーム３３の手押し部４３が、雌ハウジング１０に設けられた一対の保護部２４によって上下方向から保護された状態となる。また、カム溝３１とカムピン５６との係合部分（カムピン導入路１９内）は、フード部５１によって覆い隠される。
【００５０】
次に、両ハウジング１０，５０を離脱させる場合について説明する。
両ハウジング１０，５０を離脱させる際には、まず、図１９に示すように、スライダ３０の覆い部４６を前後から指で挟み込むようにする。すると、一方の指の先端が、手押し部４３の先端部に形成された指当て面４４に当てられた状態となる。次いで、指当て面４４に当てられた指を本体部３２側に押し込み、ロックアーム３３のロック解除を行い、そのまま指で挟み込んだ覆い部４６を引っ張ってスライダ３０を引き抜いていく。このとき、手押し部４３が覆い部４６に近い位置に設けられるとともに、手押し部４３の先端部が覆い部４６の周縁よりも突出する高さとされているため、手押し部４３を押し込んだ指が、覆い部４６の周面に設けられた指支持面４７に支持された状態になる。このように、手押し部４３を押し込んだ指が、覆い部４６のような固定部材に支持されるようになっており、この固定壁である覆い部４６に指を引っ掛けてロック解除操作をできるから、弾性変形するロックアーム３３に指を当てただけの不安定な状態である場合に比べて、スライダ３０の引き抜き作業を行いやすい。
【００５１】
また、手押し部４３の指当て面４４および覆い部４６の指支持面４７の双方は、手押し部４３をロック解除状態となるまで押し込むと、スライダ３０の挿入方向前方へ向かって連続する下り勾配となり、覆い部４６の周縁部から手押し部４３の先端部にかけて斜めに架け渡される指に沿うような形態となるから、指のフィット感がよい。加えて、手押し部４３の指当て面４４は階段状をなしているから、この面が平坦な面とされている場合に比べて指に対する摩擦力が大きくなって指が滑りにくい。したがって、スライダ３０を引き抜く作業を行いやすい。
【００５２】
こうして、ロック解除した状態でスライダ３０をスライダ収容部１５から引き抜いていく。そして、スライダ３０が引き抜かれるのに伴って、カム溝３１とカムピン５６との係合によるカム作用により雌ハウジング１０と雄ハウジング５０とが徐々に離間していく。
【００５３】
以上説明したように本実施形態によれば、両ハウジング１０，５０を嵌合させるための手段であるスライダ３０が、雌端子金具１２に二次係止してこの雌端子金具１２の抜け止めを図る機能を兼ね備えているから、スライダ３０とは別にリテーナ等の抜け止め部材を設けなくて済み、もって部品点数の増加を回避しつつ雌端子金具１２の抜け止めを図ることができる。なお、一枚の本体部３２の上下面に配された上段用リテーナ部３６Ａおよび下段用リテーナ部３６Ｂが、上下のキャビティ１１に収容された雌端子金具１２に二次係止するから、上下のキャビティ１１に対して別個に本体部を備えなくても済むようになっている。
【００５４】
また、突起部３５よりも右方に配されている下段用リテーナ部３６Ｂは、並列する２つのキャビティ１１に架け渡されるように連続する形態に形成されているから、この並列する２つのキャビティ１１毎にリテーナ部を断続的に設ける場合に比べて、強度の向上が図られている。
【００５５】
さらに、雌端子金具１２が半挿入状態にあるときに誤ってスライダ３０を挿入すると、半挿入状態の雌端子金具１２に半挿入検知面６１が当接してそれ以上のスライダ３０の挿入が規制され、雌端子金具１２が半挿入状態であることを知ることができる。
【００５６】
なお、スライダ３０は、上段用リテーナ部３６Ａおよび下段用リテーナ部３６Ｂがキャビティ１１への雌端子金具１２の挿抜を許容する位置に退避した状態となる待機位置にあるときに、雌ハウジング１０に対して保持可能とされているから、予めスライダ３０をこの待機位置に保持した状態で、雌端子金具１２の挿入作業を行うこともできる。
【００５７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５８】
（１）上記実施形態においては、スライダ３０は全体として左右方向に長い略方形の一枚板状をなしているが、それ以外にも様々な形態のスライダに広く適用可能であって、例えば全体として門型に形成されたスライダにも適用できる。
【００５９】
（２）上記実施形態においては、上段用リテーナ部３６Ａおよび下段用リテーナ部３６Ｂは左右一対ずつに分かれて設けられているが、これに限らず、左右のリテーナ部は繋がって設けられていてもよい。
【００６０】
（３）上記実施形態においては、上段用リテーナ部３０Ａおよび下段用リテーナ部３６Ｂには半挿入検知面６１が形成されているが、この半挿入検知面６１にテーパ面を設け、スライダの押し込みに伴ってこのテーパ面に端子接続部を摺接させ、雌端子金具を正規挿入位置に押し込んで位置を矯正するようにしてもよい。
【００６１】
（４）上記実施形態においては、上段用リテーナ部３６Ａと下段用リテーナ部３６Ｂとは、その前縁位置が上下方向および左右方向にほぼ揃う位置に配されているが、例えば大きさの異なる端子金具をキャビティに挿入する場合には、その端子金具の大きさにあわせて前後方向にずれて配されていてもよい。
【００６２】
（５）上記実施形態では、雌ハウジング１０の搬送時においては、スライダ３０は仮係止位置に引き出された状態であるとして説明したが、これに限らず、スライダ３０を本係止位置に押し込み、全ての雌端子金具１２を二次係止させた状態で搬送してもよい。もちろん、この場合には、雄ハウジング５０との嵌合の際には、再度スライダ３０を仮係止位置に戻す必要がある。
【図面の簡単な説明】
【００６３】
【図１】本実施形態におけるコネクタの平断面図
【図２】雌ハウジングの正面図
【図３】雌ハウジングの平面図
【図４】雌ハウジングを左方から見た側面図
【図５】雌端子金具が挿入された雌ハウジングの側断面図
【図６】雌ハウジングの側断面図
【図７】仮係止状態におけるコネクタの平断面図
【図８】スライダを上方から見た平面図
【図９】スライダを下方から見た平面図
【図１０】スライダの正面図
【図１１】スライダを右方から見た側面図
【図１２】雄ハウジングの正面図
【図１３】雄ハウジングの平断面図
【図１４】雄ハウジングの側断面図
【図１５】スライダが雌ハウジングに仮係止位置まで差し込まれた状態を表す正面図
【図１６】スライダが雌ハウジングに仮係止位置まで差し込まれた状態を表す平面図
【図１７】スライダが仮係止位置から本係止位置に移動する様子を表す平断面図
【図１８】スライダが本係止位置に至った状態を表す平断面図
【図１９】スライダを引き抜く様子を表す平断面図
【符号の説明】
【００６４】
１０…雌ハウジング（第２コネクタハウジング）
１１…キャビティ
１２…雌端子金具
１３…ランス
１５…スライダ収容部
１５Ａ…上段連通部
１５Ｂ…下段連通部
３０…スライダ
３１…カム溝
３２…本体部
３６Ａ…上段用リテーナ部
３６Ｂ…下段用リテーナ部
５０…雄ハウジング（第１コネクタハウジング）
５６…カムピン
６１…半挿入検知面
【図１】
0004396652.tif 000002
【図２】
0004396652.tif 000003
【図３】
0004396652.tif 000004
【図４】
0004396652.tif 000005
【図５】
0004396652.tif 000006
【図６】
0004396652.tif 000007
【図７】
0004396652.tif 000008
【図８】
0004396652.tif 000009
【図９】
0004396652.tif 000010
【図１０】
0004396652.tif 000011
【図１１】
0004396652.tif 000012
【図１２】
0004396652.tif 000013
【図１３】
0004396652.tif 000014
【図１４】
0004396652.tif 000015
【図１５】
0004396652.tif 000016
【図１６】
0004396652.tif 000017
【図１７】
0004396652.tif 000018
【図１８】
0004396652.tif 000019
【図１９】
0004396652.tif 000020